(57)【要約】【課題】構造部分が簡易で入手しやすい材料で形成できると共に、堆肥を運ぶのにコンポスト容器ごと持ち運べて便利な生ゴミコンポスト容器を提供する。【解決手段】側壁面部の空隙１０を通して換気可能な上部１２ａの開放された箱体１２と、少なくともハエを通さない材質のものであって、当該箱体１２内部を内張する内張部材１４と、前記内張部材１４で内張した箱体１２内に種菌１８を収容した状態で当該箱体１２の上部を覆うための少なくともハエを通さない覆布１６とを備えたものであって、前記種菌１８に生ゴミを混入した状態で前記覆布１６によって箱体１２の上部を覆って生ゴミを種菌１８によって発酵分解させるようにした生ゴミコンポスト容器である。【選択図】図１
0003162746.tif 000002
【実用新案登録請求の範囲】
【請求項１】
側壁面部に空隙が形成されてその空隙を通して換気可能な上部の開放された箱体と、
少なくともハエを通さない材質の当該箱体内部を内張する内張部材と、
前記内張部材で内張した箱体内に種菌を収容した状態で当該箱体の上部を覆うための少なくともハエを通さない覆体とを備えて、
前記種菌に生ゴミを混入した状態で前記覆体によって箱体の上部を覆って生ゴミを種菌によって発酵分解させるようにしたことを特徴とする生ゴミコンポスト容器。
【請求項２】
前記箱体は、側壁部と底壁部とがメッシュ状を呈した籠であることを特徴とする請求項１に記載の生ゴミコンポスト容器。
【請求項３】
前記箱体は、上部周縁に取っ手が付いていることを特徴とする請求項２に記載の生ゴミコンポスト容器。
【請求項４】
前記内張部材は、少なくともハエの卵管を通さない紙類または布類からなる請求項１から３のうちの１項に記載の生ゴミコンポスト容器。
【請求項５】
前記種菌は、腐葉土または籾殻等の腐葉土の代替え物に米ぬかを混ぜた菌床に、好気性細菌もしくは通性嫌気性細菌またはそれらの両方を加えて発酵させたものであることを特徴とする請求項１から４のうちの１項に記載の生ゴミコンポスト容器。
【考案の詳細な説明】
【技術分野】
【０００１】
本考案は、生ゴミからコンポスト（肥料・堆肥）を作成するための生ゴミコンポスト容器に関する。
【背景技術】
【０００２】
従来、家庭等から屑として出される生ゴミはそのまま廃棄したのでは、単なるゴミ（ごみ、塵）であり、資源の無駄になる。
【０００３】
そこで、生ゴミをコンポスト化するための容器(生ゴミコンポスト容器)が使用されている。
【０００４】
コンポスト容器は、利便性を考えて、畑や庭などの肥料・堆肥の使用箇所の近くに設置するのが通常である。
【０００５】
従来、コンポスト容器は、下部の太い筒状であって設置箇所に穴を空けて底部を埋め込んでおく簡単なものであって、上部の生ゴミ入れのための開口に蓋をしておく。
【０００６】
したがって、蓋によって密閉状態のコンポスト容器内部は空気の流通が悪く、酸欠になり、水分も充満する。また、蓋は置いただけの状態が多く、ハエが入りやすく、ウジの繁殖によってハエが増える場合がある。
【０００７】
これに対して、従来、特開２００９−１３０４３号公報（特許文献１）では、上下が開口した逆台形の略筒状に形成されたコンポスト容器であって、当該コンポスト容器の天井部分に土の層を設け、側壁部分に密閉蓋付きの生ゴミ投入口を設けたコンポスト容器が開示されている。土の層と密閉蓋のいずれからもハエが入りにくいことを目的としている。
【０００８】
しかしながら、この特許文献１のコンポスト容器は、天井の部分にざるを設けて土を入れるため使用するのに不便であり、また、側面の部分に密閉付き蓋を設ける等、構造が複雑で、特殊な成形をしなければならず製造の手間およびコストが高いものである。また、入手のしにくいものである。
【０００９】
また、開放した下部を土の中に埋めて使用するので、移動や持ち運びが困難であり、発酵後の堆肥は使用に際して一々容器に入れて運ばなければならないので、使いにくさがある。
【先行技術文献】
【特許文献】
【００１０】
【特許文献１】特開２００９−１３０４３号公報
【考案の概要】
【考案が解決しようとする課題】
【００１１】
本考案は、上記した問題を解決するものであって、構造部分が簡易で入手しやすい材料で形成できると共に、堆肥を運ぶのにコンポスト容器ごと持ち運べて便利な生ゴミコンポスト容器を提供しようとするものである。
【課題を解決するための手段】
【００１２】
本考案は生ゴミコンポスト容器に係り、底面部及び側壁面部に空隙が形成されてその空隙を通して換気可能な上部の開放された箱体と、
少なくともハエを通さない材質の当該箱体内部を内張する内張部材と、
前記内張部材で内張した箱体内に種菌を収容した状態で当該箱体の上部を覆うための少なくともハエを通さない覆体とを備えて、
前記種菌に生ゴミを混入した状態で前記覆体によって箱体の上部を覆って生ゴミを種菌によって発酵分解させるようにしたことを特徴とする生ゴミコンポスト容器である。
ただし、側壁面部での空隙が十分確保されている場合は、底面部に空隙が形成されていなくとも差し支えない。
【００１３】
本考案において、前記箱体は、側壁部と底壁部とがメッシュ状を呈した籠であることが好適である。
【００１４】
また、本考案において、前記箱体は、上部周縁に取っ手が付いていることが好適である。
【００１５】
本考案において、前記内張部材は、少なくともハエの卵管を通さない紙類または布類からなることが好適である。
【００１６】
また、本考案において、前記種菌は、腐葉土または籾殻等の腐葉土の代替え物に米ぬかを混ぜた菌床に、好気性細菌もしくは通性嫌気性細菌またはそれらの両方を加えて発酵させたものであることが好適である。
【考案の効果】
【００１７】
本考案の生ゴミコンポスト容器によれば、側壁面部に空隙が形成されてその空隙を通して換気可能な上部の開放された箱体と、少なくともハエを通さない材質の当該箱体内部を内張する内張部材と、前記内張部材で内張した箱体内に種菌を収容した状態で当該箱体の上部を覆うための少なくともハエを通さない覆体とを備えて、前記種菌に生ゴミを混入した状態で前記覆体によって箱体の上部を覆って生ゴミを種菌によって発酵分解させるようにしたので、側壁面部の空隙および上部の覆体によって十分な通気が確保された状態で種菌が生ゴミを発酵分解できる。それと共に、内張部材および覆体は少なくともハエを通さないので、通気を確保しつつハエが種菌に卵を植え付けることを確実に防止できる。
【００１８】
また、箱体に、スーパーマーケット等の店舗にて使用されている、側壁および底壁がメッシュ状の買い物籠を用いれば安価かつ簡単に入手でき、また、覆体も市場にて容易に入手しやすい。したがって、特別な構造ではなく、安価かつ手軽に組み立てることができる。
【００１９】
また、箱体に上部に取っ手がついていれば、持ち運びに便利である。
【００２０】
また、前記内張部材は、少なくともハエの卵管を通さない紙類または布類からなるものにすれば、ハエが内張部材を突き破って卵管を通して種菌に卵を産み付けることがなくウジやハエの発生を確実に防止できる。
【００２１】
また、前記種菌は、腐葉土または籾殻等の腐葉土の代替え物に米ぬかを混ぜた菌床に、好気性細菌もしくは通性嫌気性細菌またはそれらの両方を加えて発酵させたものであれば、発酵をすみやかに行うことができる等の優れた効果を奏し得る。
【図面の簡単な説明】
【００２２】
【図１】（ａ）、（ｂ）は、本考案の実施形態に係る生ゴミコンポスト容器の斜視図、平面図である。
【図２】図１の生ゴミコンポスト容器の各部の説明図である。
【図３】（ａ）、（ｂ）は、図１の生ゴミコンポスト容器における生ゴミを投入前の説明図である。
【図４】（ａ）、（ｂ）、（ｃ）は、図１の生ゴミコンポスト容器における生ゴミのコンポスト化の手順の説明図である。
【図５】実施形態の変形例に係る生ゴミコンポスト容器の全体説明図である。
【図６】図５の生ゴミコンポスト容器の組み立て説明図であって、（ａ）は箱体の上方から見た説明図、（ｂ）は覆蓋の下方から見た説明図、（ｃ）は箱体への内張部材の張り付け途中状態の説明図、（ｄ）は箱体に内張部材が張り付けられた状態の内側を見た説明図、（ｅ）は同状態の上方から見た説明図、（ｆ）は覆蓋の上方からの斜視説明図である。
【考案を実施するための形態】
【００２３】
以下、本考案の実施形態を添付図面を参照して説明する。
図１〜図４は、本考案の実施形態に係る生ゴミコンポスト容器の各説明図である。
【００２４】
図１、図２に示すように、実施形態に係る生ゴミコンポスト容器は、側壁面部に空隙１０が形成されてその空隙１０を通して換気可能な上部１２ａの開放された箱体１２と、少なくともハエを通さない材質のものであって、当該箱体１２内部を内張する内張部材１４と、前記内張部材１４で内張した箱体１２内に種菌１８を収容した状態で当該箱体１２の上部を覆うための少なくともハエを通さない覆布（「覆体」に相当）１６とを備えたものである。
また、上記生ゴミコンポスト容器は、前記種菌１８に生ゴミを混入した状態で前記覆布１６によって箱体１２の上部を覆って生ゴミを種菌１８によって発酵分解させるようにしたものである。
【００２５】
具体的には、箱体１２にスーパーマーケット等の店舗にて使用する側壁および底壁がメッシュ状の空隙１０のある買い物籠を用いることが好ましい。これによって、箱体１２を安価かつ簡単に入手できる。したがって、特別な構造ではないので、安価かつ手軽に組み立てることができる。箱体１２は通常樹脂成型品であるが、木、竹、金属製品であっても良い。その他、箱体としては、種菌が収容できれば、市販のプランター、焼き物の壷または容器、段ボール容器そのものであってよい。
【００２６】
また、箱体１２には上部１２ａ周縁に対でコ字形状を呈した取っ手２０、２０を設けており、使用者は、各取っ手２０、２０の中央部を持って生ゴミコンポスト容器全体を持ち運ぶことができ、取り扱いが便利である。
詳しくは、各取っ手２０、２０は、中央部両側から直角に曲がって延びる両先端部が箱体１２の上部１２ａ周縁にヒンジ２０ａ、２０ａによって回動自在に軸支されている。両取っ手２０、２０は、不使用時にはヒンジ２０ａ、２０ａによって箱１２に近づく方向に回動して上部１２ａの周縁に沿わせておき、一方、使用時にはヒンジ２０ａ、２０ａによって箱１２から離す方向に回動して使用者が中央部を把持して箱体全体つまり生ゴミコンポスト容器全体を持てるようになっている。
【００２７】
また、前記内張部材１４は、少なくともハエを通さないものであるが、少なくともハエの卵管を通さない紙類（段ボール紙等）または布類（カーペット等）からなるものにすれば、ハエが内張部材１４を突き破って卵管を通さなくなり種菌１８に卵を産み付けることがなくウジやハエの発生を確実に防止しできる。
【００２８】
また、覆布１６は、箱体１２の上部１２ａを覆うものや箱体１２の全体から覆う袋状のものであってもよい。また、覆布１６はハエを通さないかぎり、いらなくなった生地やカーテン地等、好適には不織布がよい。不織布は、市場にて容易に入手しやすい。不織布はハエの卵管を通さなければ、卵管を通して卵が産み付けられず、一層よい。
【００２９】
また、前記種菌１８は、籾殻または米ぬかに腐葉土を混ぜた菌床に、好気性発酵菌を加えて発酵させたものなので、発酵をすみやかに行うことができる。
【００３０】
実施形態の生ゴミコンポスト容器によれば、上記構造から前記種菌１８に生ゴミを混入した状態で前記覆布１６によって箱体の上部を覆って生ゴミを種菌１８によって発酵分解させる。箱体１２の側壁面部の空隙１０および上部の覆布１６によって十分な通気が確保された状態で種菌１８が生ゴミを発酵分解できる。それと共に、内張部材１４および覆布１６は少なくともハエの卵管を通さないので、通気を確保しつつハエの卵管が種菌１８に植え付けることを確実に防止でき、ハエの発生を未然に防ぐことができる。
【００３１】
次に実施形態の生ゴミコンポスト容器について形成手順およびその使用方法を説明する。
【００３２】
〔生ゴミコンポストを使用する発酵菌の考え方〕
（１）生ゴミコンポスト容器に発酵菌は必要である理由
生ゴミを菌により分解する場合、「腐敗」はつきものであるが、良質の発酵にスムーズに導くためには、発酵菌が必要である。
【００３３】
[1]発酵菌・腐敗菌は共に生ゴミに付着していたり、空気中に存在する。
[2]発酵菌・腐敗菌共に生ゴミは大好物で、競って分解を始め増殖していく。
[3]発酵菌の量が腐敗菌よりも多くなれば良質な発酵に進み、逆に腐敗菌の量が発酵菌よりも多ければ腐敗し悪臭を発する。すなわち、菌にとって増殖の競争をしており、自分たちの生存をかけた勝負をしていることになる。
[4]この生存競争を発酵菌に有利にするために、最初から多量の発酵菌を使用することとなる。
【００３４】
（２）利用する発酵菌の種類
発酵菌の活動条件として次の二つに分けることができる。
【００３５】
[1]酸素を利用して活動させる条件（：好気性条件  好気性細菌及び通性嫌気性細菌）。
[2]酸素を利用させずに活動させる条件（：嫌気性条件  通性嫌気性細菌）。
これら２種類の発酵条件には、それぞれに一長一短はあるが、好気性条件がよい。その理由は二つある。
[1]好気性条件は嫌気性条件と比較して分解が非常に早いことが挙げられる。つまり、生ゴミのコンポスト化と同時に減量化が図れることとなる。
[2]腐敗は嫌気性条件で起きるため、好気性条件で取組むと腐敗することを抑えることができる。
【００３６】
（３）発酵菌の入手法
現地で容易に安価に手に入れることができる発酵菌を入手すべきである。購入するか自分で増やすかの方法がある。
【００３７】
（４）自分で発酵菌を増やす方法
良好な発酵菌の潜んでいる物（場所）は次の通りである。
【００３８】
[1]発酵食品などの食品：ヨーグルト、味噌、もろみ、酒粕、納豆、きのこ等。
[2]腐葉土：市販のものや野山にある。野山から集めるのが効果的である。また、枯れ葉がそのまま残っているものよりも、土と接してボロボロになりかけている方が効果的である。
[3]有機農業をしている畑の土：同意を得て畑の土を分けてもらう。
[4]その他自然のもの：米ぬか、籾殻、藁（わら）、朽ちた木等。
【００３９】
以上の[1]〜[4]から得られた発酵菌を海外では[Native Microorganism]（ＮＭ：土着菌）と呼んでいる。できるだけ、他種類から菌を集めることが効果的である。
【００４０】
〔発酵菌の増やし方〕
確実に良質な発酵菌を増やすには、２段階で実施する。
【００４１】
（１）液状の発酵菌（発酵液）作り
[1]用意するもの：発酵食品など（ヨーグルト、味噌、もろみ、酒粕、納豆等）、容積１リットル程度の蓋のできる収容容器（ラップで蓋をしても可、ペットボトル等）、砂糖５０ｇ程度、水道水１リットル。(量については一つの例)
[2]収容容器を利用し、砂糖を水道水に混ぜて砂糖水を作る（砂糖は入れすぎても可）。
[3]発酵食品を上記砂糖水の入った収容容器内に入れて、砂糖水と良くかき混ぜる。
[4]密閉して保管する。３〜５日程度で完成する。発酵食品に住む菌は多くは酸素の有・無に関係なく増え、甘酸っぱい味・香りと若干のアルコール臭がする。
【００４２】
（２）コンポスト用発酵菌（種菌）作り
[1]用意するもの：段ボール箱、腐葉土（腐葉土の代替として、籾殻や小さく切った藁、竹チップ、キノコ栽培後の菌床、鋸屑などを加えても良い）、米ぬか。上記（１）の発酵液。
[2]腐葉土：米ぬか＝２：１程度で良く混合し、発酵液を加えて水分調整する。(この混合比は一つの例)
[3]水分は４０％〜６０％程度に調整する。混合物を手に握り、固まりになるが水が滲み出ない程度に混合する。
[4]上記の混合物を段ボール箱に入れ、虫が入らないように適切な覆布（ハエの卵管を通さないもの）で蓋をして、水がかからないところで保管する。
種菌１８は７〜１４日間程度で完成する。暖かい所に置いておくと早く完成する。
【００４３】
なお、上記発酵液の代わりに直接発酵食品などを使用して、コンポスト用発酵菌をつくることができる。
【００４４】
〔コンポスト容器のつくり方〕
好気性条件で発酵させるための構造・条件を整える。図２〜図４に基づき説明する。
[1]用意するもの：通気性のある容器で、四方八方から空気が入る（穴が開いている）構造が適している。容量は６０リットル程度等、生ゴミの量に応じて調節する必要がある。一般的なスーパーマーケット等の販売店で置いている買い物籠が箱体１２に適している。
段ボール紙またはカーペット等の内張部材１４を箱体１２の底面および側壁面の内面に張り付ける（貼り付ける）。これによって、発酵菌のこぼれや虫の侵入を防ぐ。
そして、箱体１２を覆布１６（不織布の収納袋とすることもできる）で覆うことによって虫の侵入を防ぐことができる。この場合、容器ごと不織布の収納袋に入れると手軽で確実である。
覆布１６は不織布（ふしょくふ）の収納袋とする場合、座布団や布団を保管する袋として安価に市販されているので入手しやすい。
ミニスコップ（移植ごて）２２は、生ゴミと種菌（発酵菌）１８を混ぜるときに使う。なお、ミニスコップ２２は、プラスチック製とすれば錆びずに長持ちがする。
【００４５】
[2]箱体１２の内側に段ボールまたはカーペット（内張部材１４）を張り付ける（図２参照）。
[3]箱体１２内に発酵菌を６０％（６分目）程度入れる（図３参照）。
[4]容器を布で覆うか、不織布製の入れ物に容器ごと入れる。
【００４６】
〔コンポスト容器の使い方〕
発酵菌は生き物であるので、丁寧に、愛情を持って接すると調子良く活動する。
（１）生ゴミの大きさ
[1]生ゴミは包丁やハサミを利用して小さくする。
[2]小さくするほど発酵（分解）は速くなる。
【００４７】
（２）水分
[1]水気はよく切る。
[2]ざるなどに入れて水を切ったり、手で絞ったりすると効果的である。
【００４８】
（３）コンポストにする頻度
[1]生ゴミは出る都度コンポスト化する。
[2]保管する場合はなるべくハエが集らないようにする。ハエが卵を産み付けることを防ぐためである。
【００４９】
（４）コンポスト化
[1]小さく刻んだ生ゴミを容器に入れ、ミニスコップでかき混ぜる（図４（ａ）参照）。
[2]発酵菌と生ゴミとが十分に接触するようによくかき混ぜる。
[3]生ゴミが見えないように最後に発酵菌で覆う（図４（ｂ）参照）。
【００５０】
（５）容器のカバー
[1]箱体１２を覆布１６で被ったり不織布の収納袋の開き口を閉める。箱体１２ごと不織布の収納袋に入れれば手軽で確実である。覆布１６は重し２４で固定して箱体１２の上部が開かないようにする（図３（ｂ）、図４（ｃ）参照）。
【００５１】
（６）注意点
[1]１日１回必ず全体をかき混ぜる。
[2]ご飯は塊になりやすいので、水でほぐしてから入れると効果的である。
[3]水分は４０〜６０％で管理する。
[4]野菜は水分を多量に含んでいるので、野菜屑が多いときは発酵床を若干乾燥気味の状態にする。
【００５２】
[5]オレンジの皮、たまねぎの皮、紅茶、緑茶、コーヒーかすは乾燥して保管しておく。調子が悪くなったときに加えると効果的である。
[6]温度が高いと発酵はスムーズに進むが、冬は気温が下がるので発酵菌の活動が緩慢になり、生ゴミの分解が極端に遅くなる傾向がある。保温する工夫をすると発酵（分解）はスムーズに進む。
【００５３】
上記の保温方法として、例えば次のものがある。
コンポスト容器を段ボール箱の中に入れる。穴を開けた発泡スチロール容器に入れる。ペットボトルの湯たんぽを入れる。電気あんかを入れる。家の中に入れる、等である。
【００５４】
〔コンポスト（堆肥）の使い方〕
上述のコンポスト技術により、上手に活用すれば１〜２日で生ゴミは分解し、その形はほとんどなくなってしまう。見かけ上はコンポストができたように思えるが、急速な分解が終わっただけである。
コンポストは次のように使用することを推奨する。
【００５５】
（１）コンポストを容器から取り出すタイミング
[1]容器がコンポストで一杯になり、混ぜにくいと感じたときである。
個人によりその感じ方が異なるが、目安としては容器の８０〜９０％（８〜９分目）程度である。
前述したが、実施形態に示した程度の大きさの箱体１２（３０〜４０ｃｍ四方）を使用すると、家庭から出てくる生ゴミ５００ｇ／日程度を毎日連続して入れても、順調に処理できれば一杯になるまでに３〜６ケ月程度かかる。
[2]取り出したコンポストは、発酵の程度がバラバラなものの混合物である。
昨日入れた生ゴミの分解物もあれば、数ヶ月前に入れた生ゴミの発酵物もある。
【００５６】
（２）取り出したコンポストの熟成
[1]取り出したコンポストの水分が４０〜６０％程度であることを確認し、乾燥しているようであれば水を加えて調整する。
[2]その後、段ボール箱や袋などの通気性のある入れ物に入れ、２週間以上放置する。この放置により、分解物から発酵物へと変わっていく。
【００５７】
（３）コンポストの使い方
[1]畑等の土壌全面にコンポストを散布し、２０ｃｍ程度耕す。
表面近くの土壌を改良する効果があり、畑全体が軟らかくなる効果も期待できる。
[2]作物を植え付けた後に堆肥を土壌の上に被せる（マルチング）。
コンポストの分解が促進され効果が徐々に現れる。
[3]樹木の周り（根が伸びている先の方）に環状に溝を１０ｃｍ程度掘り施肥する。
【００５８】
（４）コンポスト使用上の注意点
容器から取り出したコンポストは熟成させているが、中熟と呼ばれる状態である。そのため、施肥後も発酵菌の活動が続く。
【００５９】
なお、本考案においては、上記実施形態に限定されず、本考案の技術的思想の範囲内で種々に変形実施できる。例えば、箱体の上部を覆う覆体は上記実施形態の覆い布に限定されず、図５〜図６に示す変形例のように、メッシュの形成された蓋に通気性の有るカーペット等の布を張り付けて箱体を塞ぐ構成にできる。
【００６０】
図５に示す、変形例に係る生ゴミコンポスト容器は、側壁面部に空隙１０が形成されてその空隙１０を通して換気可能な上部１２ａの開放された箱体１２と、少なくともハエを通さない材質のものであって、当該箱体１２内部を内張する内張部材１４と、前記内張部材１４で内張した箱体１２内に種菌１８を収容した状態で当該箱体１２の上部を覆うための少なくともハエを通さない覆蓋（「覆体」に相当）２６とを備えている。
【００６１】
また、前記覆蓋２６は、図５に示すように、空隙１０が形成されたメッシュ構造であってその空隙１０を通して換気可能な蓋本体２６ａと、その蓋本体２６ａの表面（裏面でもよい）に張り付けた、少なくともハエを通さない、好ましくはハエの卵管を通さないカーペット等の覆布２６ｂとからなるものである。
【００６２】
上記生ゴミコンポスト容器を製造に際しては、図６（ａ）に示すように、空隙１０のあるメッシュ形成された箱体１２と、同（ｂ）に示すように、メッシュ構造で空隙１０のある蓋本体２６ａを用意する。
箱体１２内部には、同（ｃ）〜（ｅ）に示すように、カーペットからなる内張部材１４に切り込み２８を入れたものを装着して、切り込み２８を繋げる等して隙間無く箱体１２内面に張り付ける。また、同（ｆ）に示すように、蓋本体２６ａには、覆布２６ｂを張って覆蓋２６を形成する。
【００６３】
これらの内張部材１４を張った箱体１２と覆蓋２６とからなる容器を変形例に係る生ゴミコンポスト容器として使用し、上記実施形態と同様の使用手順によって、前記種菌１８に生ゴミを混入した状態で前記覆蓋２６によって箱体１２の上部を覆って生ゴミを種菌１８によって発酵分解させるようにしたものである。
この変形例の生ゴミコンポスト容器は、覆蓋２６が箱体１２上部開口を緊密に覆うことができるので取り扱いが容易である。その他は上記実施形態と同様の効果を奏する。
【産業上の利用可能性】
【００６４】
本考案の生ゴミコンポスト容器は、家庭用生ゴミの処理の他、店舗用、食品工場用等種々の生ゴミ処理に利用できることができる。
【符号の説明】
【００６５】
１０  空隙
１２  箱体
１２ａ  箱体の上部
１４  内張部材
１６  覆布（覆体）
１８  種菌
２０  取っ手
２０ａ  取っ手のヒンジ
２２  ミニスコップ
２４  重し
２６  覆蓋（覆体）
【図１】
0003162746.tif 000003
【図２】
0003162746.tif 000004
【図３】
0003162746.tif 000005
【図４】
0003162746.tif 000006
【図５】
0003162746.tif 000007
【図６】
0003162746.tif 000008